(57)【要約】【課題】キッチンキャビネットを目隠しし、ダイニング又はリビングダイニングへの異物の飛散を阻止することができる対面式キッチンユニットを提供する。【解決手段】本実施の形態に係るキッチンユニット１（対面式キッチンユニット）は、キッチンとダイニング又はリビングダイニングとの間に設置されるキッチンユニット１において、前記キッチンに正面を向けるキャビネット２（キッチンキャビネット）と、夫々が前記キャビネット２を背後から覆い、該キャビネット２よりも高く突出している複数枚のバックパネル３１〜３３とを備え、該複数枚のバックパネル３１〜３３の内、バックパネル３１，３３（一のバックパネル）は前記キャビネット２に近接しており、バックパネル３２（他のバックパネル）は前記キャビネット２から後方に離隔しており、前記キャビネット２と前記バックパネル３２との間に収納部４が設けられていることを特徴とする。【選択図】図１
2018027304.tif 000002
【特許請求の範囲】
【請求項１】
キッチンとダイニング又はリビングダイニングとの間に設置される対面式キッチンユニットにおいて、
前記キッチンに正面を向けるキッチンキャビネットと、
夫々が前記キッチンキャビネットを背後から覆い、該キッチンキャビネットよりも高く突出している複数枚のバックパネルと
を備え、
該複数枚のバックパネルの内、
一のバックパネルは前記キッチンキャビネットに近接しており、
他のバックパネルは前記キッチンキャビネットから後方に離隔しており、
前記キッチンキャビネットと前記他のバックパネルとの間に収納部が設けられていることを特徴とする対面式キッチンユニット。
【請求項２】
前記収納部は、前記他のバックパネルに平行な側板及び水平な棚板を有する棚状をなし、前記他のバックパネルによって目隠しされていることを特徴とする請求項１に記載の対面式キッチンユニット。
【請求項３】
前記キッチンキャビネットと前記他のバックパネルとの間、且つ前記収納部の上側に、耐水性を有し、上向きに開口している箱体が設けられていることを特徴とする請求項１又は２に記載の対面式キッチンユニット。
【請求項４】
キッチンとダイニング又はリビングダイニングとの間に設置される対面式キッチンユニットにおいて、
前記キッチンに正面を向けるキッチンキャビネットと、
夫々が前記キッチンキャビネットを背後から覆い、該キッチンキャビネットよりも高く突出している複数枚のバックパネルと
を備え、
該複数枚のバックパネルの内、
一のバックパネルは前記キッチンキャビネットに近接しており、
他のバックパネルは前記キッチンキャビネットから後方に離隔しており、
前記キッチンキャビネットと前記他のバックパネルとの間に、耐水性を有し、上向きに開口している箱体が設けられていることを特徴とする対面式キッチンユニット。
【請求項５】
前記箱体の開口周縁部には、前後方向に互いに離隔している２つの上向きの面が設けられており、
該２つの上向きの面に架け渡されて載置される載架部材を更に備えることを特徴とする請求項３又は４に記載の対面式キッチンユニット。
【請求項６】
隣り合う前記一のバックパネル及び前記他のバックパネル夫々は、互いに近い周縁部同士が前後方向に対向配置されていることを特徴とする請求項１から５の何れか一項に記載の対面式キッチンユニット。
【請求項７】
前記他のバックパネルの高さは前記一のバックパネルの高さ以下であることを特徴とする請求項１から６の何れか一項に記載の対面式キッチンユニット。
【請求項８】
前記他のバックパネルの高さは前記一のバックパネルの高さ未満であり、
前記キッチンキャビネットには、調理台と流し台又はコンロ台とが並設されており、
前記他のバックパネルは前記調理台を覆い、
前記一のバックパネルは前記流し台又は前記コンロ台を覆うことを特徴とする請求項７に記載の対面式キッチンユニット。
【発明の詳細な説明】
【技術分野】
【０００１】
本発明は、キッチンとダイニング又はリビングダイニングとの間に設置される対面式キッチンユニットに関する。
【背景技術】
【０００２】
従来、キッチンとダイニング又はリビングダイニングとの間に設置される対面式キッチンユニットが提案されている（特許文献１参照）。
【０００３】
引用文献１に記載の対面式キッチンユニットは、カウンター部（キッチンキャビネット）及び間仕切り部材（バックパネル）を備える。カウンター部の上部には、シンク及びコンロ等が対面式キッチンユニットの長手方向に並設されている。間仕切り部材は板状をなし、カウンター部をダイニング側又はリビングダイニング側から覆う。間仕切り部材は、カウンター部よりも上方へ突出する部分を有するので、カウンター部を目隠しし、ダイニング又はリビングダイニングへの水跳ね若しくは油跳ね等を阻止することができる。
【先行技術文献】
【特許文献】
【０００４】
【特許文献１】特許第４３１８０７８号公報
【発明の概要】
【発明が解決しようとする課題】
【０００５】
引用文献１に記載の対面式キッチンユニットの場合、１枚の間仕切り部材が対面式キッチンユニットの長手方向に沿って移動する。故に、例えばシンクを覆う位置に間仕切り部材があるとき、コンロを覆う位置に間仕切り部材はない。従って、間仕切り部材は、シンクを目隠しし、水跳ねを阻止することと、コンロを目隠しし、油跳ねを阻止することとを両立させることができない。この結果、例えばキッチンでの作業内容がシンクでの洗い物からコンロでの調理に変わった場合に、間仕切り部材を、シンクを覆う位置からコンロを覆う位置へ移動させなければならない。
【０００６】
本発明は斯かる事情に鑑みてなされたものであり、その主たる目的は、キッチンキャビネットを目隠しし、ダイニング又はリビングダイニングへの異物の飛散を阻止することができる対面式キッチンユニットを提供することにある。
【課題を解決するための手段】
【０００７】
本実施の形態に係る対面式キッチンユニットは、キッチンとダイニング又はリビングダイニングとの間に設置される対面式キッチンユニットにおいて、前記キッチンに正面を向けるキッチンキャビネットと、夫々が前記キッチンキャビネットを背後から覆い、該キッチンキャビネットよりも高く突出している複数枚のバックパネルとを備え、該複数枚のバックパネルの内、一のバックパネルは前記キッチンキャビネットに近接しており、他のバックパネルは前記キッチンキャビネットから後方に離隔しており、前記キッチンキャビネットと前記他のバックパネルとの間に収納部が設けられていることを特徴とする。
【０００８】
本実施の形態に係る対面式キッチンユニットは、前記収納部は、前記他のバックパネルに平行な側板及び水平な棚板を有する棚状をなし、前記他のバックパネルによって目隠しされていることを特徴とする。
【０００９】
本実施の形態に係る対面式キッチンユニットは、前記キッチンキャビネットと前記他のバックパネルとの間、且つ前記収納部の上側に、耐水性を有し、上向きに開口している箱体が設けられていることを特徴とする。
【００１０】
本実施の形態に係る対面式キッチンユニットは、キッチンとダイニング又はリビングダイニングとの間に設置される対面式キッチンユニットにおいて、前記キッチンに正面を向けるキッチンキャビネットと、夫々が前記キッチンキャビネットを背後から覆い、該キッチンキャビネットよりも高く突出している複数枚のバックパネルとを備え、該複数枚のバックパネルの内、一のバックパネルは前記キッチンキャビネットに近接しており、他のバックパネルは前記キッチンキャビネットから後方に離隔しており、前記キッチンキャビネットと前記他のバックパネルとの間に、耐水性を有し、上向きに開口している箱体が設けられていることを特徴とする。
【００１１】
本実施の形態に係る対面式キッチンユニットは、前記箱体の開口周縁部には、前後方向に互いに離隔している２つの上向きの面が設けられており、該２つの上向きの面に架け渡されて載置される載架部材を更に備えることを特徴とする。
【００１２】
本実施の形態に係る対面式キッチンユニットは、隣り合う前記一のバックパネル及び前記他のバックパネル夫々は、互いに近い周縁部同士が前後方向に対向配置されていることを特徴とする。
【００１３】
本実施の形態に係る対面式キッチンユニットは、前記他のバックパネルの高さは前記一のバックパネルの高さ以下であることを特徴とする。
【００１４】
本実施の形態に係る対面式キッチンユニットは、前記他のバックパネルの高さは前記一のバックパネルの高さ未満であり、前記キッチンキャビネットには、調理台と流し台又はコンロ台とが並設されており、前記他のバックパネルは前記調理台を覆い、前記一のバックパネルは前記流し台又は前記コンロ台を覆うことを特徴とする。
【００１５】
本実施の形態にあっては、複数枚のバックパネルが、キッチンキャビネットを背後から覆う。各バックパネルはキッチンキャビネットよりも高く突出している。故に、キッチンキャビネットを含むキッチンとダイニング又はリビングダイニングとが複数枚のバックパネルによって区画される。従って、キッチンキャビネットを目隠しし、ダイニング又はリビングダイニングへの異物の飛散を阻止することができる。
【００１６】
複数枚のバックパネルの内、一のバックパネルはキッチンキャビネットに近接している。一方、他のバックパネルはキッチンキャビネットから後方に離隔している。即ち、複数枚のバックパネルは面一に並置されていない。このような対面式キッチンユニットは、他のバックパネルがある部分がダイニング又はリビングダイニングに向けて突出している珍しい形状なので、視覚的な意外性を有している。この結果、対面式キッチンユニットの意匠性を向上させることができる。
【００１７】
他のバックパネルとキッチンキャビネットとの間には収納部及び箱体の少なくとも一方が設けられている。両方設けられている場合、箱体は収納部の上側に配される。
収納部が設けられている場合、対面式キッチンユニットの物品収納容量を増大させることができる。
箱体が設けられている場合、箱体は耐水性を有し、上向きに開口しているので、例えば水槽、水受け、又は濡れた物品用の収納部として箱体を利用することができる。
【００１８】
本実施の形態にあっては、他のバックパネルとキッチンキャビネットとの間に棚状の収納部が設けられている。他のバックパネルと収納部の側板とが平行なので、収納部に対する物品の出し入れは、他のバックパネルに沿う横方向から行なわれる。
収納部は、他のバックパネルによって目隠しされているので、収納部（及び収納部に収納されている物品）は目立たない。この結果、対面式キッチンユニットの美観を向上させることができる。
【００１９】
本実施の形態にあっては、箱体の開口周縁部に設けられた２つの上向きの面に載架部材が架け渡される。
載架部材は、載架部材の形状及び素材等に応じて、例えば箱体の蓋、水切り用の網、又は物品置き場として用いることができる。
【００２０】
本実施の形態にあっては、正面又は背後から見た場合に、隣り合う一のバックパネルと他のバックパネルとが部分的に重なり合っている。故に、一のバックパネルと他のバックパネルとの隙間が目立たない。この結果、対面式キッチンユニットの美観を向上させることができる。
【００２１】
本実施の形態にあっては、一のバックパネルの高さと他のバックパネルの高さとが等しい場合、複数枚のバックパネルの統一感が向上する。この結果、対面式キッチンユニットの意匠性を向上させることができる。
【００２２】
一方、一のバックパネルの高さよりも他のバックパネルの高さの方が低い場合、収納部の位置が視覚的に分かり易い。この結果、対面式キッチンユニットの利便性を向上させることができる。また、一のバックパネルと他のバックパネルとの高低差により、視覚的な意外性が向上するので、対面式キッチンユニットの意匠性を更に向上させることができる。
【００２３】
本実施の形態にあっては、調理台を覆う他のバックパネルは低いので、キッチンにいる使用者とダイニング又はリビングダイニングにいる使用者との間で他のバックパネル越しに物品を受け渡すことが容易にできる。また、ダイニング又はリビングダイニングにいる使用者が他のバックパネル越しに調理台へ手を伸ばすことが容易である。この結果、対面式キッチンユニットの利便性を向上させることができる。
【００２４】
一方、流し台（又はコンロ台）を覆う一のバックパネルは高いので、流し台（又はコンロ台）を確実に目隠しすることができる。また、ダイニング又はリビングダイニングへの水跳ね（又は油跳ね）を確実に阻止することができる。更に、ダイニング又はリビングダイニングにいる使用者が一のバックパネル越しに流し台（又はコンロ台）へ手を伸ばすことが困難である。更にまた、流し台（又はコンロ台）とバックパネルとの間には収納部がないので、流し台（又はコンロ台）からの水跳ね（又は油跳ね）が収納部又は収納部に収納された物品を汚損することが抑制される。以上の結果、対面式キッチンユニットの美観、衛生、及び安全性を向上させることができる。
【発明の効果】
【００２５】
本実施の形態の対面式キッチンユニットによる場合、キッチンキャビネットを目隠しし、ダイニング又はリビングダイニングへの異物の飛散を阻止することができる。
【図面の簡単な説明】
【００２６】
【図１】実施の形態１に係る対面式キッチンユニットの構成を略示するキッチンから見た斜視図である。
【図２】対面式キッチンユニットの構成を略示するダイニングから見た斜視図である。
【図３】対面式キッチンユニットの構成を略示する背面図である。
【図４】対面式キッチンユニットの構成を略示する平面図である。
【図５】対面式キッチンユニットの構成を略示する側面図である。
【図６】対面式キッチンユニットが備える収納部近傍の構成を略示する斜視図である。
【図７】実施の形態２に係る対面式キッチンユニットの構成を略示する平面図である。
【図８】収納部近傍の構成を略示する斜視図である。
【図９】実施の形態３に係る対面式キッチンユニットの構成を略示する背面図である。
【図１０】対面式キッチンユニットの構成を略示する平面図である。
【図１１】実施の形態４に係る対面式キッチンユニットの構成を略示する背面図である。
【図１２】対面式キッチンユニットの構成を略示する平面図である。
【図１３】実施の形態５に係る対面式キッチンユニットの構成を略示する平面図である。
【図１４】対面式キッチンユニットの構成を略示する背面図である。
【図１５】対面式キッチンユニットが備える収納部の構成を略示する側面図である。
【図１６】対面式キッチンユニットが備える箱体の構成を略示する斜視図である。
【発明を実施するための形態】
【００２７】
以下、本発明を、その実施の形態を示す図面に基づいて詳述する。
【００２８】
実施の形態  １．
図１及び図２は、実施の形態１に係る対面式キッチンユニットの構成を略示する斜視図である。
図３、図４、及び図５は、対面式キッチンユニットの構成を略示する背面図、平面図、及び側面図である。
図中１は対面式キッチンユニットであり、対面式キッチンユニット１（以下、キッチンユニット１という）は、キッチンＫとダイニングＤとの間の床Ｆに設置されている。図１はキッチンＫから見た斜視図であり、図２はダイニングＤから見た斜視図である。
図３及び図４に示すように、キッチンユニット１は壁Ｗに接触している。図１及び図２における床Ｆ及び壁Ｗの図示は省略している。図５は壁Ｗ側から見た側面図である。
【００２９】
キッチンユニット１は、キッチンキャビネット２（以下、キャビネット２という）と、３枚のバックパネル３１〜３３と収納部４とを備えている。
キャビネット２は直方体状をなす。キャビネット２の正面は、キッチンＫに向けられている。以下では、キャビネット２の正面側を前側といい、キャビネット２の背面側を後側という。
キャビネット２には、コンロ台２１、調理台２２、及び流し台２３が直線状にこの順に並設されている。以下ではコンロ台２１、調理台２２、及び流し台２３の並設方向を左右方向という。また、キャビネット２のコンロ台２１側を右側といい、キャビネット２の流し台２３側を左側という。
【００３０】
コンロ台２１、調理台２２、及び流し台２３夫々の上部には、共通のワークトップ２４が取り付けられている。ワークトップ２４は、平面視矩形状をなし、前後方向より左右方向に長い。ワークトップ２４の後辺部には、バックガード２４１が突設されている。
コンロ台２１の上段にはビルトインコンロ２１１が取り付けられている。ワークトップ２４におけるコンロ台２１を覆う部分には開口が設けられており、この開口を通して、ビルトインコンロ２１１の火口が露出している。コンロ台２１の中段及び下段には、抽斗２１２，２１２が設けられている。コンロ台２１の右側面、及びワークトップ２４の右端面夫々は、壁Ｗに接触している。
【００３１】
調理台２２には上下３段の抽斗２２１，２２１，…が設けられている。ワークトップ２４における調理台２２を覆う部分は、水平面状をなす。
流し台２３には上下２段の抽斗２３１，２３１が設けられている。ワークトップ２４における流し台２３を覆う部分には水槽２３２が設けられている。流し台２３の上部には水栓２３３が突設されている。水栓２３３は、水槽２３２に向けて吐水する。
キャビネット２においては、水栓２３３が最も高い位置にある。水栓２３３の次に高い位置にはバックガード２４１がある。
【００３２】
流し台２３の左側面には、サイドパネル１１が取り付けられている。サイドパネル１１は矩形平板である。サイドパネル１１は、流し台２３を左側から覆っている。サイドパネル１１の下辺部は床Ｆに接触している。サイドパネル１１は、床Ｆに垂直に、キャビネット２の水栓２３３よりも高く突出している。
【００３３】
バックパネル３１〜３３夫々は矩形平板である。バックパネル３１〜３３夫々の厚みはサイドパネル１１の厚みと同程度である。
バックパネル３１は、キャビネット２に近接しており、主にコンロ台２１を覆っている。バックパネル３１（一のバックパネル）は、コンロ台２１の後面に取り付けられている。バックパネル３１の右端面は、壁Ｗに接触している。
バックパネル３３は、キャビネット２に近接しており、主に流し台２３を覆っている。バックパネル３３（一のバックパネル）は、流し台２３の後面に取り付けられている。バックパネル３３の左端面は、サイドパネル１１の左面と面一である。バックパネル３３の前面にはサイドパネル１１の後端面が接触している。
バックパネル３１，３３夫々の下端面は床Ｆに接触している。バックパネル３１，３３夫々は、床Ｆに垂直に、キャビネット２の水栓２３３よりも高く突出している。バックパネル３１，３３夫々の床Ｆからの高さは、サイドパネル１１の床Ｆからの高さに等しい。
【００３４】
一方、バックパネル３２（他のバックパネル）は、キャビネット２から後方に離隔しており、主に調理台２２を覆っている。バックパネル３２はバックパネル３１，３３夫々に平行である。
バックパネル３２の下端面は床Ｆに接触している。バックパネル３２は、床Ｆに垂直に、キャビネット２のバックガード２４１よりも高く突出している。バックパネル３２の床Ｆからの高さは、バックパネル３１，３３夫々の床Ｆからの高さ未満である。
【００３５】
バックパネル３２の右辺部は、バックパネル３１の左辺部と前後方向に対向配置されている。バックパネル３２の左辺部は、バックパネル３３の右辺部と前後方向に対向配置されている。
バックパネル３１〜３３及びサイドパネル１１夫々は、例えば木材製であり、少なくとも人目に触れる部分に共通の化粧が施されている（例えば同色の化粧シートが貼り付けられている）。故に、バックパネル３１〜３３及びサイドパネル１１には統一感がある。
【００３６】
なお、バックパネル３１〜３３夫々は、矩形平板に限定されず、例えば角丸矩形平板又は正方形平板でもよく、意匠性を有する凹凸が設けられてもよい。また、バックパネル３１〜３３夫々は、１枚の平板に限定されず、複数枚の平板が上下方向又は左右方向に並置された部材でもよい。
【００３７】
図６は、収納部４近傍の構成を略示する斜視図である。
収納部４は、キャビネット２とバックパネル３２との間に設けられている。
収納部４は棚状をなす。収納部４は、４枚の側板４１，４２，４２，４３（図４及び図５参照）と複数枚（図中６枚）の棚板４４，４４，…とを有する。側板４１〜４３及び棚板４４，４４，…夫々は、例えば木材製である。
側板４１〜４３夫々は矩形平板である。側板４１〜４３夫々の厚みは互いに同程度である。側板４１〜４３夫々はバックパネル３２より薄い。側板４１〜４３夫々はバックパネル３２に平行である。
【００３８】
側板４１，４３は、左右方向に離隔して並置されている。
側板４１は、バックパネル３１の後面の左辺部に取り付けられている。側板４１の左端面はバックパネル３１の左端面と面一である。側板４１の右端面の左右方向の位置は、バックパネル３２の右端面の左右方向の位置よりも左側である。
側板４３は、バックパネル３３の後面の右辺部に取り付けられている。側板４３の右端面はバックパネル３１の右端面と面一である。側板４３の左端面の左右方向の位置は、バックパネル３２の左端面の左右方向の位置よりも右側である。
【００３９】
側板４２，４２夫々はバックパネル３２の前面に取り付けられている。側板４２，４２は、左右方向に並置されている。右側の側板４２の左端面と左側の側板４２の右端面とは接触している。右側の側板４１の右端面の左右方向の位置は、側板４１の右端面の左右方向の位置と同じである。左側の側板４２の左端面の左右方向の位置は、側板４３の左端面の左右方向の位置と同じである。
側板４１〜４３夫々の下辺部は床Ｆに接触している。側板４１〜４３夫々の床からの高さはキャビネット２のバックガード２４１の床Ｆからの高さより低い。
バックパネル３１〜３３への側板４１〜４３の取り付けは、例えばビス留めによって行なわれる。
【００４０】
各棚板４４は矩形平板である。ただし、棚板４４は、一方の長辺部の長手方向両端部に、矩形切り欠き状の凹部を１つずつ有する。棚板４４は、長手方向が左右方向に沿う水平な姿勢で、且つ、バックパネル３１の側板４１に覆われた左端部及びバックパネル３３の側板４３に覆われた右端部に２つの凹部が嵌め合わされた状態で、側板４１〜４３に取り付けられている。棚板４４の右端面の左右方向の位置は、側板４１の右端面の左右方向の位置よりも左側である。棚板４４の左端面の左右方向の位置は、側板４３の左端面の左右方向の位置よりも右側である。棚板４４の前端面は、調理台２２の後面に接触している。側板４１〜４３夫々への棚板４４の取り付けは、例えばアングル材を側板４１〜４３夫々及び棚板４４にビス留めすることによって行なわれる。
【００４１】
本実施の形態におけるバックパネル３２は、収納部４を介在してバックパネル３１，３３の後面に取り付けられているが、これに限定されるものではない。バックパネル３２は、例えば収納部４とは異なる部材を介してバックパネル３１，３３、調理台２２の後面、又は床Ｆに取り付けられていてもよい。
なお、収納部４は、２枚の側板４２，４２に替えて、１枚の側板を備えていてもよい。この場合、１枚の側板は、２枚の側板４２，４２と同程度のサイズである。
【００４２】
以上のようなキッチンユニット１は、キャビネット２がバックパネル３１〜３３によって背後から覆われている。キッチンユニット１は、バックパネル３２がある部分がダイニングＤに向けて突出している珍しい形状なので、視覚的な意外性を有している。この結果、キッチンユニット１の意匠性を向上させることができる。
【００４３】
また、バックパネル３１，３３夫々の高さよりもバックパネル３２の高さの方が低いので、バックパネル３１，３３夫々とバックパネル３２との高低差により、視覚的な意外性が向上する。故に、キッチンユニット１の意匠性を更に向上させることができる。
なお、バックパネル３１，３３夫々の高さとバックパネル３２の高さとが等しくてもよい。この場合、バックパネル３１〜３３及びサイドパネル１１の統一感が向上する。この結果、キッチンユニット１の意匠性を更に向上させることができる。
【００４４】
バックパネル３１〜３３は面一に並置されておらず、千鳥に配置されている。とはいえ、バックパネル３１〜３３は、キャビネット２を含むキッチンＫとダイニングＤとを区画している。従って、ダイニングＤにいる使用者からキャビネット２（及びキャビネット２に載せ置かれている物品）が目隠しされている。
キッチンユニット１を前側又は後側から見た場合、バックパネル３１，３３夫々とバックパネル３２とが部分的に重なり合っている。故に、バックパネル３１，３３夫々とバックパネル３２との隙間が目立たない。
【００４５】
バックパネル３１はダイニングＤへの油跳ねを阻止する。コンロ台２１と収納部４との間にもバックパネル３１があるので、バックパネル３１は、収納部４への油跳ねも阻止する。バックパネル３１は高いので、ダイニングＤにいる使用者がバックパネル３１越しにコンロ台２１へ手を伸ばすことが困難である。
バックパネル３３は、ダイニングＤへの水跳ねを阻止する。流し台２３と収納部４との間にもバックパネル３３があるので、バックパネル３３は、収納部４への水跳ねも阻止する。バックパネル３３は高いので、ダイニングＤにいる使用者がバックパネル３３越しに流し台２３へ手を伸ばすことが困難である。
【００４６】
バックパネル３２は、調理台２２からダイニングＤへ物品又は水滴等が無用に移動することを阻止する。ワークトップ２４のバックガード２４１は、調理台２２から収納部４へ物品又は水滴等が無用に移動することを抑制する。
バックパネル３２は低いので、キッチンＫにいる使用者とダイニングＤにいる使用者との間でバックパネル３２越しに物品を受け渡すことが容易にできる。また、ダイニングＤにいる使用者がバックパネル３２越しに調理台２２へ手を伸ばすことが容易である。この結果、キッチンユニット１の利便性を向上させることができる。
図に示すバックパネル３２の高さは水栓２３３の高さよりも低い。しかしながら、バックパネル３２は流し台２３ではなく調理台２２を覆っているので、水栓２３３もダイニングＤにいる使用者から目隠しされている。
【００４７】
サイドパネル１１は、キャビネット２を含むキッチンＫと、キッチンＫ及びダイニングＤを結ぶ通路とを区画している。従って、通路にいる使用者からキャビネット２（及びキャビネット２に載せ置かれている物品）が目隠しされている。サイドパネル１１は、流し台２３から通路への水跳ねを阻止する。
【００４８】
収納部４は、キッチンユニット１の物品収納容量を増大させることができる。収納部４には、例えば、ダイニングＤにてダイニングテーブルに配膳する前に、ダイニングテーブルに載せ置かれている物品を収納することができる。
収納部４は、バックパネル３２に平行な側板４１〜４３を有する。故に、収納部４に対する物品の出し入れは、左右方向から行なわれる。ただし、本実施の形態の収納部４は天板を有していないので、収納部４に対する物品の出し入れは、上側から行なうこともできる。
【００４９】
収納部４は、ダイニングＤにいる使用者が利用する。しかしながら、キッチンＫにいる使用者が、収納部４の最上段の棚板４４を利用してもよい。このために、例えば物品を縦置きするための収納具が最上段の棚板４４に配されていてもよい。
【００５０】
バックパネル３２はバックパネル３１，３３夫々よりも低いので、収納部４の位置が視覚的に分かり易い。
その一方で、収納部４そのもの（及び収納部４に収納されている物品）は目立たない。何故ならば、収納部４がバックパネル３２より低く、且つバックパネル３２より左右方向に小さいので、収納部４がバックパネル３２によって目隠しされているからである。
【００５１】
以上の結果、キッチンユニット１の美観、衛生、安全性、及び利便性を向上させることができる。
なお、収納部４は天板を有していてもよい。
また、ワークトップ２４はバックガード２４１を有していなくてもよい。この場合、収納部４は、ワークトップ２４における調理台２２を覆う部分と面一の天板を有していてもよい。このとき、ワークトップ２４から収納部４の天板に亘って物品を載置することができる。
【００５２】
収納部４には、例えば扉又は抽斗が設けられていてもよい。
収納部４は、水平な棚板４４，４４，…を有する棚状に限定されない。例えば、収納部４は、上方から差し入れられた物品を立てて収納する箱状又はマガジンラック状でもよく、フックを介して掛止された物品を収納する網状又は有孔ボード状でもよい。
【００５３】
収納部４は、側板４２，４２を有していない構成でもよい。つまり、バックパネル３２が収納部４の側板を兼ねていてもよい。この場合、棚板４４，４４，…は、バックパネル３２に取り付けられる。
収納部４は、側板４１，４３を有していない構成でもよい。この場合、棚板４４，４４，…は、バックパネル３１，３３に取り付けられる。
【００５４】
本実施の形態においては、キッチンユニット１がキッチンＫとダイニングＤとの間に設置されている場合を例示したが、これに限定されない。キッチンユニット１は、キッチンＫとリビングダイニングとの間に設置されてもよい。
キッチンユニット１は壁Ｗに接触している構成に限定されず、壁Ｗから離隔している構成でもよい。
キッチンユニット１は、コンロ台２１、調理台２２、及び流し台２３が直線状に並設された構成に限定されない。例えば、キッチンユニット１は、コンロ台２１、調理台２２、及び流し台２３が曲線状に並設された構成でもよい。この場合、各バックパネル３１〜３３夫々は湾曲した板状をなす。
【００５５】
次に、実施の形態２〜５を説明する。実施の形態２〜５のキッチンユニット１は、実施の形態１のキッチンユニット１と略同様の構成である。実施の形態２〜５のキッチンユニット１は、実施の形態１のキッチンユニット１の作用効果と略同様の作用効果を奏する。以下では、実施の形態１との差異について説明し、その他、実施の形態１に対応する部分には同一符号を付してそれらの説明を省略する。
【００５６】
実施の形態  ２．
図７は、実施の形態２に係るキッチンユニット１の構成を略示する平面図である。
図８は、収納部４近傍の構成を略示する斜視図である。
本実施の形態では、キャビネット２とバックパネル３２との間に、収納部４，５が前後方向に並設されている。
【００５７】
収納部４の側板４１，４３は、側板４１の左端面と側板４３の右端面とが接触するように、左右方向に並置されている。側板４１，４３は、例えば端面同士の接着によって、互いに取り付けられている。
各棚板４４は矩形平板である。棚板４４の前端面は、側板４１，４３に接触している。
なお、収納部４は、２枚の側板４１，４３に替えて、１枚の側板を備えていてもよい。この場合、１枚の側板は、２枚の側板４１，４３と同程度のサイズである。
【００５８】
収納部５は、収納部４の側板４１，４３とキャビネット２の調理台２２との間に設けられている。
収納部５は、上向きに開口する箱状をなす。収納部５の前後方向の長さは、バックパネル３１，３３夫々の厚みと同程度である。収納部５の深さは、例えば市販の俎板の長手方向の長さより短い。図に示す収納部５は区隔壁５１を有する。区隔壁５１は、収納部５の内部を左右に２分する。収納部５は、キャビネット２の後面、バックパネル３１の左端面、バックパネル３３の右端面、又は収納部４の側板４１，４３夫々の前面に取り付けられている。
収納部５には、例えば俎板又は料理本が縦置きで収納される。収納部５に対する物品の出し入れは、上側から行なわれる。
【００５９】
なお、収納部５の前面はキャビネット２の背面と共通でもよく、収納部５の後面は収納部４の側板４１，４３夫々の前面と共通でもよく、収納部５の右側面はバックパネル３１の左端面と共通でもよく、収納部５の左側面はバックパネル３１の右端面と共通でもよい。
また、収納部４の側板４１，４３は、実施の形態１の側板４１，４３と同様の構成でもよい。この場合、最上段の棚板４４以外の棚板４４，４４，…は実施の形態１の棚板４４，４４，…と同様の構成である。収納部５は、最上段の棚板４４とキャビネット２の調理台２２との間に設けられる。故に、収納部５を前後方向に大きくすることができる。
【００６０】
実施の形態  ３．
図９及び図１０は、実施の形態３に係るキッチンユニット１の構成を略示する背面図及び平面図である。
実施の形態１，２のバックパネル３１，３３夫々は一のバックパネルであり、バックパネル３２は他のバックパネルである。
一方、本実施の形態のバックパネル３２は一のバックパネルであり、キャビネット２に近接している。バックパネル３１，３３夫々は他のバックパネルであり、キャビネット２から後方に離隔している。
【００６１】
図では、バックパネル３１〜３３夫々の床Ｆからの高さが等しい。故に、バックパネル３１〜３３及びサイドパネル１１の統一感が向上する。
なお、バックパネル３１，３３夫々の床Ｆからの高さがバックパネル３２の床Ｆからの高さよりも低くてもよい。
【００６２】
サイドパネル１１は、キャビネット２よりも後方に突出する部分を有する。
【００６３】
キャビネット２とバックパネル３１との間には、収納部４が設けられている。この収納部４は、側板４１，４２，４２及び棚板４４，４４，…を有する。
側板４１は、バックパネル３２の後面の右辺部に取り付けられている。側板４２，４２夫々はバックパネル３１の前面に取り付けられている。棚板４４は、一方の長辺部の左端部に、矩形切り欠き状の凹部を有する。棚板４４は、長手方向が左右方向に沿う水平な姿勢で、且つ、バックパネル３２の側板４１に覆われた右端部に矩形切り欠き状の凹部が嵌め合わされた状態で、側板４１，４２，４２及びコンロ台２１の後面に取り付けられている。右側の側板４２及び各棚板４４夫々の右端面は、壁Ｗに接触している。
【００６４】
キャビネット２とバックパネル３３との間にも、収納部４が設けられている。この収納部４は、側板４２，４２，４３及び棚板４４，４４，…を有する。
側板４３は、バックパネル３２の後面の左辺部に取り付けられている。側板４２，４２夫々はバックパネル３３の前面に取り付けられている。棚板４４は、一方の長辺部の左端部に、矩形切り欠き状の凹部を有する。棚板４４は、長手方向が左右方向に沿う水平な姿勢で、且つ、バックパネル３２の側板４３に覆われた左端部に矩形切り欠き状の凹部が嵌め合わされた状態で、側板４２，４２，４３及び流し台２３の後面に取り付けられている。左側の側板４２及び各棚板４４夫々の左端面は、サイドパネル１１に接触している。
【００６５】
以上のようなキッチンユニット１は、２つの収納部４，４を備えているので、キッチンユニット１の物品収納容量を更に増大させることができる。
【００６６】
実施の形態  ４．
図１１及び図１２は、実施の形態４に係るキッチンユニット１の構成を略示する背面図及び平面図である。
キッチンユニット１は、キャビネット２と、２枚のバックパネル３２，３３と収納部４とを備えている。キャビネット２には、調理台２２及び流し台２３が直線状にこの順に並設されている。即ち、本実施の形態のキッチンユニット１は、実施の形態１のキッチンユニット１からコンロ台２１及びバックパネル３１を省略したような構成である。
【００６７】
収納部４は、側板４２，４２，４３及び棚板４４，４４，…を有する。棚板４４は、一方の長辺部の左端部に、矩形切り欠き状の凹部を有する。棚板４４は、長手方向が左右方向に沿う水平な姿勢で、且つ、バックパネル３３の側板４３に覆われた右端部に矩形切り欠き状の凹部が嵌め合わされた状態で、側板４２，４２，４３及び調理台２２の後面に取り付けられている。右側の側板４２及び各棚板４４夫々の右端面は、壁Ｗに接触している。
【００６８】
キッチンユニット１の前方には、壁Ｗに垂直な壁に沿って、キッチンキャビネット６１及び冷蔵庫６２が左右方向に並置されている。
キッチンキャビネット６１には、コンロ台６１１及び調理台６１２が左右方向に並設されている。
【００６９】
キッチンユニット１は、キッチンキャビネット６１と共に、いわゆるII型キッチンを構成することができる。
なお、キッチンユニット１は、II型キッチンに限定されず、例えばいわゆるＬ型キッチン又はＵ型キッチンを構成することも可能である。
【００７０】
実施の形態  ５．
図１３は、実施の形態５に係るキッチンユニット１の構成を略示する平面図である。
図１４は、キッチンユニット１の構成を略示する背面図である。
キッチンユニット１は、キャビネット２、２枚のバックパネル３１，３２、収納部４、箱体７１、及び３つの載架部材７２１，７２２，７２２を備える。
実施の形態１のキャビネット２の場合、キッチンＫ側からキャビネット２に向かって右側にコンロ台２１があり、左側に流し台２３がある。一方、本実施の形態のキャビネット２の場合、キッチンＫ側からキャビネット２に向かって右側に流し台２３があり、左側にコンロ台２１がある。しかしながら、本実施の形態においても、キャビネット２のコンロ台２１側を右側といい、キャビネット２の流し台２３側を左側という。
【００７１】
本実施の形態のバックパネル３２は、キャビネット２から後方に離隔しており、主に調理台２２及び流し台２３を覆っている。また、バックパネル３２は、収納部４を介在してバックパネル３１の後面に取り付けられていると共に、後述する支持体１３，１３を介在してキャビネット２の後面に取り付けられている。
本実施の形態のサイドパネル１１の床Ｆからの高さは、実施の形態１のサイドパネル１１の床Ｆからの高さより低い。サイドパネル１１の上端面及び左面は、バックパネル３２の上端面及び左端面と面一である。サイドパネル１１の後端面はバックパネル３２の前面に接触している。
【００７２】
図１５は、キッチンユニット１が備える収納部４の構成を略示する側面図である。
図１４及び図１５に示す収納部４は、キャビネット２とバックパネル３２との間に設けられている。図１４においては、収納部４及び支持体１３，１３等を図示するために、バックパネル３２が想像線で示されている。図１５には、壁Ｗ側から見た収納部４が示されている。
収納部４は棚状をなす。収納部４は、２枚の側板４１，４２、棚板４４、天板４５、底板４６、及び背板４７を有する。ただし、図１４においては側板４１の図示は省略している。
側板４１は、実施の形態２の側板４１と同様に、バックパネル３１の後面を覆う部分と、バックパネル３１よりも左側に延設された部分とを有する。
側板４２の前面は、側板４１の後面に対向している。
【００７３】
天板４５及び底板４６夫々は矩形平板であり、例えば木材製である。天板４５及び底板４６夫々は、夫々の一面が水平になるようにして、側板４１，４２に取り付けられている。天板４５は、側板４１，４２夫々の上辺部に亘る。天板４５の上面の床Ｆからの高さは、キャビネット２のバックガード２４１の床Ｆからの高さより低い。底板４６は天板４５の下方に配されている。
背板４７は矩形平板であり、例えば木材製である。背板４７は、側板４１，４２、天板４５、及び底板４６夫々に直交し、側板４１，４２、天板４５、及び底板４６夫々の左辺部同士に亘るようにして、側板４１，４２、天板４５、及び底板４６夫々に取り付けられている。
【００７４】
棚板４４は矩形平板であり、例えば木材製である。棚板４４は、棚板４４の一面が水平になるようにして、側板４１，４２に架け渡されている。棚板４４は、底板４６と天板４５との間に配されている。
収納部４は壁Ｗに向けて開口しているので、キッチンＫ及びダイニングＤを結ぶ通路にいる使用者から収納部４の内部が目隠しされている。
【００７５】
キッチンユニット１は、目隠し部材１２、２つの支持体１３，１３、及び支持板１４を備える。
図１３〜図１５に示す目隠し部材１２は、キッチンユニット１を前側又は後側から見た場合にバックパネル３１，３２が互いに重なり合っている部分、且つ収納部４の上側の空隙に配され、この部分を目隠しする。
【００７６】
更に詳細には、目隠し部材１２は、矩形状の底板１２１を有する有底筒である。目隠し部材１２は、底板１２１の外面が上向きになるようにして、収納部４の天板４５の右端部に取り付けられている。目隠し部材１２の４枚の側板の内、左右方向に対向する２枚の側板１２２，１２２は、バックパネル３１，３２夫々に直交する。一方の側板１２２はバックパネル３１の左端部とバックパネル３２とに亘り、他方の側板１２２はバックパネル３１とバックパネル３２の右端部とに亘る。側板１２２，１２２は、収納部４の上側におけるバックパネル３１，３２間の空隙を目隠しする。
各側板１２２には貫通孔１２３が設けられている。貫通孔１２３には、配線用差込接続器のプラグ受けが、差込プラグを受ける面が外向きになるようにして嵌め込まれている。
【００７７】
図１４に示すように、支持体１３は、一面が全面的に開口している矩形箱状をなす。支持体１３は、収納部４とサイドパネル１１との間に配され、支持体１３の開口に対向する面が収納部４の背板４７に平行になるようにして、キャビネット２及びバックパネル３１に取り付けられている。支持体１３の上面の床Ｆからの高さは、収納部４の上面の床Ｆからの高さと同程度である。支持体１３，１３の一方はサイドパネル１１の右面に接触しており、他方はサイドパネル１１と収納部４との間の中央部に配されている。
なお、支持体１３は矩形箱状に限定されない。
【００７８】
支持板１４は一方向に細長い矩形板である。支持板１４は、支持板１４の一面が水平になり、支持板１４の長手方向が左右方向に沿うようにして、支持体１３，１３及び収納部４夫々の上面に取り付けられている。
【００７９】
図１６は、キッチンユニット１が備える箱体７１の構成を略示する斜視図である。
図１３〜図１６に示す箱体７１は耐水性を有し、例えばステンレス製である。箱体７１は、箱本体７１１及びフランジ７１２を有する。
箱本体７１１は矩形箱であり、一方向に細長い矩形状の底板７１ａと、底板７１ａの２つの長辺から立ち上がる２つの側板７１ｂ，７１ｂと、底板７１ａの２つの短辺から立ち上がる２つの側板７１ｃ，７１ｃとを有する。図１６には、箱体７１の箱本体７１１の長手方向の一端部が図示されている。
箱体７１は、箱本体７１１が上向きに開口し、箱本体７１１の長手方向が左右方向に沿い、キャビネット２、バックパネル３２、サイドパネル１１、及び目隠し部材１２に囲まれるようにして、支持板１４に載置されている。側板７１ｂ，７１ｂは前後方向に互いに対向し、側板７１ｃ，７１ｃは前後方向に互いに対向している。
【００８０】
支持板１４に下側から支持されることによって、箱体７１の長さ方向の曲げ剛性が高まる。支持板１４は、箱体７１の底板７１ａと支持体１３，１３及び収納部４夫々の上面との間に介在するスペーサとしても機能する。
【００８１】
フランジ７１２は、箱本体７１１の側板７１ｂ，７１ｂ，７１ｃ，７１ｃから外向きに突出するようにして、箱本体７１１の開口周縁部を縁取っている。フランジ７１２の上面の床Ｆからの高さは、キャビネット２のバックガード２４１の床Ｆからの高さと同程度か、やや高い。
フランジ７１２とキャビネット２、バックパネル３２、サイドパネル１１、及び目隠し部材１２との間には、防水性を有する接着剤が充填されていることが望ましい。
【００８２】
フランジ７１２と各側板７１ｂとの境界部分には、載置面７１３及び接触面７１４を有する段部が設けられている。
載置面７１３は左右方向に細長く、底板７１ａに平行な上向きの面である。載置面７１３の内側の長辺からは側板７１ｂが垂れ下がっている。載置面７１３の外側の長辺からは接触面７１４が立ち上がっている。
接触面７１４は左右方向に細長く、側板７１ｂに平行な面である。接触面７１４は、フランジ７１２の上面から垂れ下がっている。
【００８３】
載架部材７２１，７２２，７２２夫々は耐水性を有し、一方向に長い矩形板状又は矩形皿状をなす。図１６には、載架部材７２２の長手方向の一端部が図示されている。
図１３及び図１６に示す載架部材７２１，７２２，７２２夫々の短手方向の長さは箱体７１の接触面７１４，７１４間の前後方向の長さと同程度である。載架部材７２１，７２２，７２２夫々は、夫々の短手方向が前後方向に沿うようにして、箱体７１の載置面７１３，７１３に架け渡されて載置される。載置面７１３，７１３に架け渡された載架部材７２１，７２２，７２２夫々は、接触面７１４，７１４に接触する。
【００８４】
載架部材７２１は俎板置きである。載架部材７２１を俎板置きとして使用する場合、載架部材７２１は流し台２３の水槽２３２の開口周縁部に架け渡される。載架部材７２１を俎板置きとして使用しない場合、載架部材７２１は箱体７１に架け渡される。つまり、使用されていない俎板置きをコンパクトに収納することができる。しかも、箱体７１に架け渡された載架部材７２１には物品を載置することが可能である。
【００８５】
各載架部材７２２は、底板に複数の開口が設けられた水切りトレイである。箱体７１に架け渡された載架部材７２２には、濡れた物品が載置される。物品に付着した水は、載架部材７２２に受け止められ、載架部材７２２の開口から箱体７１に滴下する。
【００８６】
載架部材７２１，７２２，７２２を全て箱体７１の載置面７１３，７１３に架け渡すことによって、箱体７１の内部を目隠しすることができる。
載架部材７２１，７２２，７２２の少なくとも１つを載置面７１３，７１３から取り外すことによって、箱体７１に物品を収容することができる。箱体７１は耐水性を有するので、箱体７１には濡れた物品を収容して自然乾燥させることが可能である。
【００８７】
箱体７１が深い場合（例えば深さ１３cm程度）、箱体７１に収容された物品がバックパネル３２の上端面を越えて上側に突出することが抑制される。
箱体７１が浅い場合（例えば深さ５cm程度）、キッチンＫにいる使用者が箱体７１の内部を容易に清掃することができる。
【００８８】
なお、箱体７１の内部における載架部材７２２の下側に水受けトレイが載置されてもよい。この場合、水受けトレイを箱体７１から取り出すことによって、箱体７１へ滴下した水を容易に排出することができる。
また、箱体７１の底板７１ａに、排水管に接続された排水口が設けられ、箱体７１の排水管が、流し台２３の水槽２３２の排水管に接続されてもよい。
なお、載架部材は俎板置き及び水切りトレイ等に限定されない。
【００８９】
以上のように、キャビネット２とバックパネル３２との間に箱体７１が設けられている上に、箱体７１に載架部材７２１，７２２，７２２が架け渡されるので、キッチンユニット１の利便性を更に向上させることができる。
箱体７１は収納部４の上側に設けられているので、箱体７１と収納部４とが干渉し合うことがない。また、流し台２３からの水跳ねは箱体７１によって受け止められるので、収納部４又は収納部４に収納された物品の汚損が抑制される。
【００９０】
実施の形態１〜４のキッチンユニット１は収納部４を備えて箱体７１を備えず、実施の形態５のキッチンユニット１は収納部４と箱体７１とを備えるが、キッチンユニット１は収納部４を備えず箱体７１を備えてもよい。この場合、例えばバックパネル３１，３２の間を、例えばバックパネル３１，３２夫々に直交する化粧パネルで目隠ししてもよい。
【００９１】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
各実施の形態に開示されている構成要件（技術的特徴）はお互いに組み合わせ可能であり、組み合わせによって新しい技術的特徴を形成することができる。
【符号の説明】
【００９２】
１      キッチンユニット（対面式キッチンユニット）
２      キャビネット（キッチンキャビネット）
２１    コンロ台
２２    調理台
２３    流し台
３１〜３３  バックパネル
４，５  収納部
４１〜４３  側板
４４    棚板
７１    箱体
７１３  載置面（上向きの面）
７２１，７２２  載架部材
Ｄ    ダイニング
Ｋ    キッチン
【図１】
2018027304.tif 000003
【図２】
2018027304.tif 000004
【図３】
2018027304.tif 000005
【図４】
2018027304.tif 000006
【図５】
2018027304.tif 000007
【図６】
2018027304.tif 000008
【図７】
2018027304.tif 000009
【図８】
2018027304.tif 000010
【図９】
2018027304.tif 000011
【図１０】
2018027304.tif 000012
【図１１】
2018027304.tif 000013
【図１２】
2018027304.tif 000014
【図１３】
2018027304.tif 000015
【図１４】
2018027304.tif 000016
【図１５】
2018027304.tif 000017
【図１６】
2018027304.tif 000018